(57)【特許請求の範囲】
【請求項１】
紙仕上げ機械又は同等装置におけるフライングリール交換用の裏紙と水溶性自己粘着組成物とを有する粘着テープであって、裏紙（２）は一方の面に水溶性の自己粘着組成物を塗布され、同時に裏紙の反対側の面の部分には両面粘着テープ（６）が設けられ、両面にそれぞれ水溶性の自己粘着組成物（８、９）の設けられた両面粘着テープ（６）が設けられた接続容易な裏紙（７）を有し、該接続容易な裏紙７は、一方の部分７ａが粘着テープ１上に残って自己粘着組成物８を覆い、他方の部分７ｂが紙ウェブ１２に接着した自己粘着組成物９上に残るような方法で接続することを特徴とする粘着テープ。
【請求項２】
裏紙と水溶性の自己粘着組成物とを有する粘着テープを使用する紙仕上げ機械又は同等装置におけるフライングリールの交換方法であって、請求項１記載の粘着テープが使用され、そして交換すべき殆ど完全に巻き取られた紙リールに隣接して新たな紙リールが置かれかつこの古いリールと同じ速度に加速され、そして両方の紙ウェブが実質的に同じ速度になったとき、粘着テープの露出された自己粘着組成物が古いリールの紙ウェブと接着するようにこれに対して押し付けられた際に、新たな紙リールの最も上のウェブの部分の背面と接着し、一方、粘着テープの裏側に置かれた両面粘着テープが紙ウェブの下側と接着して最も上の紙ウェブを確保し、一方、同時に、接続容易な裏紙（７）は、塗布された２個の自己粘着組成物を接着しないように前記接続容易な裏紙の残りでカバーするような方法で接続することを特徴とするフライングリール交換方法。
【発明の詳細な説明】
【０００１】
本発明は、紙の仕上げ機械におけるフライングリール交換用の粘着テープ及びこの種の機械においてこれを使用する方法に関する。
【０００２】
製紙工場又は同様な場所におけるフライングリール交換は、殆ど空になった紙のリールを、高速回転している機械を停止させることなく新しいリールに交換する共通技術である。これは、接続テープとして知られる両面粘着テープを使用して行われる。このテープは、第１に粘着性が強く良く付くものであるが、第２には水溶性の粘着組成物と裏紙のため製紙機械における廃棄紙の再使用を妨害しない。これら接続テープはウェブの始点にジグザグ状に手際良く接合される。機械が高速であるため全手順には約４−５分間しか時間がなく、この手順には熟練者を必要とする。
【０００３】
この技術はよく確立されているが、なお幾つかの欠点がある。即ち、熟練者を必要とし、この手順は自ずと大仕事であり、かついずれの場合においても紙の２層及び間の粘着接続テープができるので、接合部が比較的厚くなる。これは製紙工業においては望ましくない。
【０００４】
フライングリール交換工程中のこの接続作業用の接続テープとして知られた種々の製品が市場にあり、これは、裏紙に加えて両面に塗布された水溶性の自己粘着性組成物を含む。この種の粘着テープは、例えばテサフィック（tesafix）の名称で市販されている（バイエルスドルフ）。
【０００５】
本発明の目的はこの状況を改善すること、特にフライングリール交換においてより薄い接合を使い易くし、同時にリール交換に対してより長い実行時間及びより長い処理時間を許し、なおかつ今日までに得られた利点を残すことである。
【０００６】
この目的は、特に紙仕上げ機械又は同等装置におけるフライングリール交換用の裏紙と水溶性自己粘着組成物とを有する粘着テープであって、裏紙（２）は一方の面に水溶性の自己粘着組成物が塗布され、同時に裏紙の反対側の面の部分には、両面にそれぞれ水溶性の自己粘着組成物（８、９）が設けられた接続容易な裏紙（７）を有することを特徴とする粘着テープに関係する。
【０００７】
これに関連して、自己粘着組成物（３及び９）がカバー（４及び１０）を有する粘着テープであることが好ましい。
【０００８】
更に、前側に設けられたカバー（３）がスリット（５）を有する粘着テープであることが好ましい。
【０００９】
粘着テープ（１）の幅が１２０から１５０mmであり、粘着テープ（６）の幅が８から１２mm，好ましくは１０から１５mmである粘着テープであることがが更に好ましい。
【００１０】
また、裏側に設けられた粘着テープ（６）とは反対の側にある粘着テープ（１）の縁から２０−４０mmの距離にスリット（５）が設けられた粘着テープであることも好ましい。
【００１１】
更に、裏紙（２）の裏側の粘着テープ（６）は、その端部が裏紙（２）の一方の側と共に横方向で終わるように配置された粘着テープが好ましい。
【００１２】
本発明はこの種の粘着テープを使用する方法、即ち、裏紙と水溶性の自己粘着組成物とを有する粘着テープを使用する紙仕上げ機械又は同等装置におけるフライングリールの交換方法であって、実施態様１−６の一つによる粘着テープが使用され、そして交換すべき殆ど完全に巻き取られた紙リールに隣接して新たな紙リールが置かれかつこの古いリールと同じ速度に加速され、そして両方の紙ウェブが実質的に同じ速度になったとき、粘着テープの露出された自己粘着組成物が古いリールの紙ウェブと接着するようにこれに対して押し付けられると、新たな紙リールの最も上のウェブの部分の背面と接着し、一方、粘着テープの裏側に置かれた両面粘着テープが紙ウェブの下側と接着して最も上の紙ウェブを確保し、一方、同時に、容易に接続する裏紙は、塗布された２個の自己粘着組成物を接着しないように前記接続容易な裏紙の残りでカバーするような方法で接続することを特徴とするフライングリール交換方法にも関連する。
【００１３】
この方法に関連して、最初にスリット付きカバーの小さい方の部分のみが剥がされ、粘着テープは新しい紙リールの最も上のウェブの背後の自己粘着組成物の露出部分に接着され、一方、カバーの大きな方の部分はフライングリール交換のためのその使用の少し前まで剥がされないことが好ましい。
【００１４】
本発明により、製紙工業は、今日まで使用された端部接合の技術の利点を失うことなくこの技術から出発する可能性を提供される。
【００１５】
事実上、技術上及び理論的分析の両方の立場から、コーティング装置におけるリールの自動交換工程の際の両面式の再処理可能な粘着（接続）テープによる端部接着の公知の技法から出発することが望ましい。今日では、相当な利点を伴って片面式の再処理可能な粘着テープに切り替えることが可能である。
【００１６】
本発明による粘着テープを用いたこの新しい接合技術において、有利な手順は紙（未処理の紙）の最も上の層の下側と、（機械方向に対して斜めに）幅が約１２０mmの片面式のカバーされた再処理可能な粘着テープとを接着することである。この接着の前に３０mmにスリットを付けられ又は穴を空けられたカバー用の紙が剥ぎ取られる。剥離紙は、剥ぎ取られた後、実際の接続作業のために約９０mmがなお残る。
【００１７】
あったカバーが取り去られたとき、開放された外向きの粘着テープ面を有する片面式の粘着テープが利用可能となる。
【００１８】
紙の巻取りを加速させるとき、両面式の粘着テープ（再処理可能）の支援により紙の始点（接着側）を迅速に保持することが必要である。この関係で特に適しているのは接続容易な裏紙を有するテサフィックスである。
【００１９】
次いで、片面式の粘着接続テープが、この両面粘着の容易な接続用テサフィックスの支援により次の紙層に固定される。
【００２０】
紙の巻取りを（約１６００m/min）に加速させるときの空気の侵入を防ぐために、紙ウェブの全体にわたり横断方向に幅が約１２mmのストリップを接着することが有利である。
【００２１】
本発明により達成される利点は、特に、接着部が従来より相当に薄いこと（紙の破損が少なくなる）、及び機械の停止時間が少ないこと（効率の向上）である。機械停止は３００００ドイツマルクまでの費用がかかる。また、接着部の厚さが小さくされ有利である。現在は紙２層とテサフィックス粘着テープ（粘着テープの厚さ０.０８５mm）との和であるが、本発明によれば紙が１層だけとテサクラップ（粘着テープの厚さ０.０８８mm）との和となる。最後に、接合部をコーティング装置（巻取機）外で作ることができる。これにより、コーティング装置における人件費、並びに巻取機における接合部の作成のための多くも時間を節約できる。
【００２２】
本文においては、以下、例示の実施例を参照し本発明をより詳細に説明する。なお、この実施例は不必要に本発明を限定することを望むものではない。
【００２３】
図１は、一方の面に水溶性の自己粘着組成物３を塗布されたクレープ紙製の裏紙２を有する粘着テープ１を詳細に示す。裏紙２と自己粘着組成物３とを加えた総厚さは０.０８８mm、その幅は１５０mmであり、これはテサクレップ（tesakrepp）４４４７  ＰＶ１として市販されている（バイエルスドルフ、ドイツ）。自己粘着組成物３はシリコン剥離紙４によりカバーされ、この剥離紙にはその左側の縁から３０mmの距離にスリット５が設けられ、このため、剥離紙４の左側部分をまず外し次いで右側部分を外すことができる。粘着テープ１の右側の端部には下側に両面粘着テープ６が接合される。この粘着テープ６は、両面にそれぞれ水溶性の自己粘着組成物８及び９が塗布され、かつシリコン剥離紙１０でカバーされた接続容易な裏紙７よりなる。粘着テープ６は幅１２mmであり、名称テサフィックス（tesafix）４９０１  ＰＶ１０の下に市販されている（バイエルスドルフ、オーストリア）。
【００２４】
図２は、粘着テープ１をどのようにして紙のウェブ１１の後方、即ち左側に接着させるかを示す。部分４ａの剥離紙はこの部分から剥がされている。剥離紙１０も、下側に接着された粘着テープ１０から剥がされ、こうして露出された粘着組成物９は、紙ウェブ１１の下にある紙リールの紙ウェブ１２に接着される。剥離紙４の右側部分４ｂも剥がされ、このため、こうして取り付けられた紙リールはフライングリール交換に対する準備状態にある。フライングリール交換の運動の際の急激な動きを避けるために粘着テープ１の接合部はリールにわたって斜めに伸びている。
【００２５】
このときは、自己粘着組成物３は、幅が１２０mmでかつ紙リールの総幅にわたって露出され、このフライング交換のための準備状態になる。
【００２６】
このように準備された（新たな）紙リールは、この新たなリールを付けるべき巻き取られた（古い）紙リールの隣に置かれ、前記古いリールと同じ回転速度に加速される。これが済むと、交換を実行することができる。新しいリールは古いリールの上に押し付けられ、自己粘着組成物３は、図３に従って古い紙リールの紙ウェブ１３に接着され、一方、接続容易な裏紙７は、一方の部分７ａが粘着テープ１上に残って自己粘着組成物８を覆い、他方の部分７ｂが紙ウェブ１２に接着した自己粘着組成物９上に残るような方法で接続する。そこで、自己粘着組成物８及び９の両者は確実に無効にされ、もはや粘着せず、従って製紙機械における次の工程を中断させない。
【００２７】
本発明の実施態様は次のとおりである。
【００２８】
１．紙仕上げ機械又は同等装置におけるフライングリール交換用の裏紙と水溶性自己粘着組成物とを有する粘着テープであって、裏紙（２）は一方の面に水溶性の自己粘着組成物が塗布され、同時に裏紙の反対側の面の部分には両面粘着テープ（６）が設けられ、両面にそれぞれ水溶性の自己粘着組成物（８、９）が設けられた両面粘着テープ（６）が設けられた接続容易な裏紙（７）を有することを特徴とする粘着テープ。
【００２９】
２．自己粘着組成物（３及び９）がカバー（４及び１０）を有することを特徴とする実施態様１による粘着テープ。
【００３０】
３．前側に設けられたカバー（３）がスリット（５）を有することを特徴とする実施態様２による粘着テープ。
【００３１】
４．粘着テープ（１）は幅が１２０から１５０mmであり、一方、裏側の粘着テープ（６）は幅が８から１２mm、特に１０から１５mmであることを特徴とする実施態様１による粘着テープ。
【００３２】
５．裏側に設けられた粘着テープ（６）とは反対側にある粘着テープ（１）の縁から２０−４０mmの距離にスリット（５）が設けられることを特徴とする実施態様３による粘着テープ。
【００３３】
６．裏紙（２）の裏側の粘着テープ（６）は、横方向が裏紙（２）の一方の側と共に終わるように配置されることを特徴とする実施態様１による粘着テープ。
７．裏紙と水溶性の自己粘着組成物とを有する粘着テープを使用する紙仕上げ機械又は同等装置におけるフライングリールの交換方法であって、実施態様１−６の一つによる粘着テープが使用され、そして交換すべき殆ど完全に巻き取られた紙リールに隣接して新たな紙リールが置かれかつこの古いリールと同じ速度に加速され、そして両方の紙ウェブが実質的に同じ速度になったとき、粘着テープの露出された自己粘着組成物が古いリールの紙ウェブと接着するようにこれに対して押し付けられると、新たな紙リールの最も上のウェブの部分の背面と接着し、一方、粘着テープの裏側に置かれた両面粘着テープが紙ウェブの下側と接着して最も上の紙ウェブを確保し、一方、同時に、接続容易な裏紙は、塗布された２個の自己粘着組成物を接着しないように前記接続容易な裏紙の残りでカバーするような方法で接続することを特徴とするフライングリール交換方法。
【００３４】
８．最初にスリット付きカバーの小さい方の部分のみが剥がされ、粘着テープは新しい紙リールの最も上のウェブの背後の自己粘着組成物の露出部分に接着され、一方、カバーの大きい方の部分はフライングリール交換のためのその使用の少し前まで剥がされないことを特徴とする実施態様７による方法。
【図面の簡単な説明】
【図１】本発明による粘着テープの図式的な側面図を示す。
【図２】紙リールに接着されフライングリール交換の準備状態にある図１による粘着テープの図式的な側面図を示す。
【図３】図２による図であるがフライングリール交換が生じた後の図を示す。
【図１】
0003698346.tif 000002
【図２】
0003698346.tif 000003
【図３】
0003698346.tif 000004